(57)【要約】【課題】碍子の個数に制限されることなく取付けることができ、しかも、連結された複数の碍子のうち取替えを必要とする碍子のみを取替えることができる碍子取替装置の提供。【解決手段】取替対象となる碍子１００を間に挟む二つの碍子１００にそれぞれ碍子固定具１１を取付け、一方の碍子固定具１１の一方の側方端部を、一方の碍子固定具１１の他方の側方端部を支点にして他方の碍子固定具１１の一方の側方端部側に相対的に引寄せ、取替対象となる碍子１００に対する送電線からの張力を解除し、取替対象となる碍子１００を新しい碍子に取替える。【選択図】図４
2019092240.tif 000002
【特許請求の範囲】
【請求項１】
笠部および該笠部の中央部に突設された接続部を有する本体部を備えた碍子の、前記接続部どうしを連結手段によって連結してなる碍子連において、取替対象となる前記碍子を取替えるための碍子取替装置であって、
前記取替対象となる前記碍子を挟む二つの碍子側にそれぞれ取付けられる碍子固定具と、
前記碍子固定具のうち一方の碍子固定具においてその一方の側方端部と、前記碍子固定具のうち他方の碍子固定具においてその一方の側方端部とを連結する第一連結手段と、
前記碍子固定具のうち一方の碍子固定具においてその他方の側方端部と、前記碍子固定具のうち他方の碍子固定具においてその他方の側方端部とを連結する第二連結手段とを備え、
前記第一連結手段は、前記他方の碍子固定具の一方の側方端部に係止可能な索条体と、前記一方の碍子固定具の一方の側方端部に取付けられて前記索条体を巻取り可能な巻取器とを備え、
前記第二連結手段は、前記一方の碍子固定具および前記他方の碍子固定具の他方の側方端部に渡される杆状体を備え、
前記一方の碍子固定具の他方の側方端部および前記他方の碍子固定具の他方の側方端部に、前記杆状体を支持する支持部が取付けられ、該両支持部のうちの少なくとも片側の支持部は前記杆状体を挿通可能とされたことを特徴とする碍子取替装置。
【請求項２】
前記支持部のうち、前記杆状体を挿通可能とする支持部側に、前記杆状体に側方から圧接して前記杆状体を固定させるストッパが設けられている請求項１に記載の碍子取替装置。
【発明の詳細な説明】
【技術分野】
【０００１】
本発明は、例えば、鉄塔のアームに取付けられた碍子を取替える碍子取替装置に関する。
【背景技術】
【０００２】
鉄塔間に架設される送電線は、耐張碍子装置や懸垂碍子装置（以下、単に碍子装置という）により、前記鉄塔に対し絶縁距離を確保された状態で支持される。図６に示すように、碍子装置Ａは、複数の碍子１００を直列に連結してなる碍子連１０７を有している。
【０００３】
各碍子１００は、図６に示すように、笠部１０１ａおよび笠部１０１ａの中央部に、笠部１０１ａの中心を通る直線に沿って突設された有底筒状の接続部１０１ｂを有する本体部１０１を備える。各碍子１００は、連結手段１０２により互いの接続部１０１ｂどうしを連結されて、複数の碍子１００を連結してなる碍子連とされる。連結手段１０２は、接続部１０１ｂ内に前記直線に沿って内挿された連結軸１０３と、接続部１０１ｂの外面に被嵌されて固着された金属製のキャップ１０４と、一方の碍子の連結軸１０３と他方の碍子１００のキャップ１０４とを連結するコッターピン１０５とを備える。キャップ１０４には、前記直線に沿って二つの接続片１０４ａ，１０４ａが突設される。二つの接続片１０４ａ，１０４ａ間には、連結軸１０３の端部が挿入される。各接続片１０４ａ，１０４ａおよび連結軸１０３の端部には、前記直線に対し直交方向に貫通孔１０６が形成され、各貫通孔１０６をコッターピン１０５が貫通することで、碍子１００どうしが連結される。碍子連１０７に送電線が接続された状態において、碍子連１０７には、送電線から張力がかかり、貫通孔１０６の内周面にコッターピン１０５の外周面が圧接することで、碍子連１０７は、送電線の張力に対抗している。
【０００４】
ところで、碍子１００は、風雨等によって経年劣化するため、定期的あるいは不定期的に取替えられる。例えば特許文献１に、碍子取替装置が提案されている。図６に示すように、碍子取替装置２００は、碍子連１０７の取替えに用いられ、一対の碍子固定具２０１，２０１と、該一対の碍子固定具２０１，２０１の距離を前記直線に沿って碍子１００間どうしの距離を縮めるよう調整するターンバックル２０２と、該ターンバックル２０２の伸縮に伴って伸縮するダンパ２０３とを備える。該ダンパ２０３は、外筒２０３ａと、該外筒２０３ａに進退可能に設けられた内筒２０３ｂとを備える。外筒２０３ａには、内筒２０３ｂを進出方向に常時付勢する弾性部材（図示せず）が内設されている。
【０００５】
前記碍子取替装置２００を用いて碍子連１０７を取替える場合、作業者は、まず碍子連１０７の両端に配置された碍子１００，１００のそれぞれのキャップ１０４に碍子固定具２０１，２０１を取付ける。つぎに、作業者は、ターンバックル２０２を操作して、二つの碍子固定具２０１，２０１間の距離を縮める。このようにすることで、碍子１００に対する張力が解除されて、各貫通孔の内周面に対するコッターピンの外周面の圧接が解除され、各貫通孔からコッターピンを引抜ける状態になる。この状態において、作業者は、各貫通孔からコッターピンを引抜き、二つの碍子固定具２０１，２０１から碍子連１０７を取外し、新しい碍子連に取替える。
【先行技術文献】
【特許文献】
【０００６】
【特許文献１】特開２０１４−９３８７３号公報
【発明の概要】
【発明が解決しようとする課題】
【０００７】
ところで、前記特許文献１の碍子取替装置２００は、碍子１００間の距離を調整するために、ターンバックル２０２およびダンパ２０３を使用している。該ターンバックル２０２およびダンパ２０３は、長さの制限を受けやすい。そして、碍子連１０７を構成する碍子１００の個数は様々であるから、碍子１００の取替のために特許文献１の装置２００を用いようとすると、碍子１００の数に応じた装置２００を準備しなければならない。
【０００８】
そこで本発明は、碍子の個数に制限されることなく取付けることができ、しかも、連結された複数の碍子のうち取替えを必要とする碍子のみを取替えることが可能な碍子取替装置の提供を目的とする。
【課題を解決するための手段】
【０００９】
本発明の碍子取替装置は、笠部および該笠部の中央部に突設された接続部を有する本体部を備えた碍子の、前記接続部どうしを連結手段によって連結してなる碍子連において、取替対象となる前記碍子を取替えるための碍子取替装置であって、前記取替対象となる前記碍子を挟む二つの碍子側にそれぞれ取付けられる碍子固定具と、前記碍子固定具のうち一方の碍子固定具においてその一方の側方端部と、前記碍子固定具のうち他方の碍子固定具においてその一方の側方端部とを連結する第一連結手段と、前記碍子固定具のうち一方の碍子固定具においてその他方の側方端部と、前記碍子固定具のうち他方の碍子固定具においてその他方の側方端部とを連結する第二連結手段とを備え、前記第一連結手段は、前記他方の碍子固定具の一方の側方端部に係止可能な索条体と、前記一方の碍子固定具の一方の側方端部に取付けられて前記索条体を巻取り可能な巻取器とを備え、前記第二連結手段は、前記一方の碍子固定具および前記他方の碍子固定具の他方の側方端部に渡される杆状体を備え、前記一方の碍子固定具の他方の側方端部および前記他方の碍子固定具の他方の側方端部に、前記杆状体を支持する支持部が取付けられ、該両支持部のうちの少なくとも片側の支持部は前記杆状体を挿通可能とされたことを特徴とする。
【００１０】
一般に、碍子は、笠部および笠部の中央部に、笠部の中心を通る直線に沿って突設された有底筒状の接続部を有する本体部を備える。碍子は、連結手段により互いの接続部どうしを連結されて、複数の碍子を連結してなる碍子連とされる。連結手段は、接続部内に前記直線に沿って内挿された連結軸と、接続部の外面に被嵌されて固着された金属製のキャップと、一方の碍子の連結軸と他方の碍子のキャップとを連結するコッターピンとを備える。キャップには、前記直線に沿って二つの接続片が突設される。二つの接続片間には、連結軸の端部が挿入される。各接続片および連結軸の端部には、前記直線に対し直交方向に貫通孔が形成され、各貫通孔をコッターピンが貫通することで、碍子どうしが連結される。碍子連に送電線が接続された状態において、碍子連には、送電線から張力がかかり、貫通孔の内周面にコッターピンの外周面が圧接することで、碍子連は、送電線の張力に対抗している。
【００１１】
上記構成を備えた本発明の碍子取替装置によれば、貫通孔の内周面にコッターピンの外周面が圧接した状態の碍子連において、取替対象となる碍子を間に挟む二つの碍子側であるキャップに碍子固定具を取付け、一方の碍子固定具に取付けられた巻取器により、他方の碍子固定具の一方の側方端部に係止された索条体を巻取ると、一方の碍子固定具と他方の碍子固定具とが相対的に引寄せられ、二つの碍子固定具間の碍子に対する送電線からの張力が解除されて各貫通孔に対するコッターピンの圧接が解除されるから、各貫通孔からコッターピンを引抜くことができ、取替対象となる碍子を新しい碍子に取替えることができる。
【００１２】
本発明の碍子取替装置では、前記支持部のうち、前記杆状体を挿通可能とする支持部側に、前記杆状体に側方から圧接して前記杆状体を前記支持部間で固定させるストッパが設けられている構成を採用することができる。
【００１３】
上記構成の碍子取替装置では、取替対象となる碍子を間に挟む二つの碍子側であるキャップに碍子固定具を取付ける際には、ストッパを緩めた状態としたうえで、碍子固定具どうしを前記杆状体に沿って相対的に接近あるいは離間させるようにして、核碍子固定具をそれぞれの碍子側に位置させて固定し、ストッパを杆状体に圧接させる。
【発明の効果】
【００１４】
本発明の碍子取替装置によれば、碍子の個数に制限されることなく取付けることができ、しかも、連結された複数の碍子のうち取替えを必要とする碍子のみを取替えることができる。
【図面の簡単な説明】
【００１５】
【図１】図１は、本発明の一実施形態に係る碍子取替装置を示した平面図。
【図２】図２は、図１の正面図。
【図３】図３は、図１の側面図。
【図４】図４は、二つの碍子固定具一方の側方端部間の距離を縮めた状態を示す平面図。
【図５】図５は、碍子の一部を破断した図。
【図６】図６は、従来の碍子取替装置を示す平面図。
【発明を実施するための形態】
【００１６】
以下、本発明の一実施形態に係る碍子取替装置につき図面を参照しつつ説明する。はじめに、碍子取替装置に関係する碍子連について説明する。なお、碍子については、図５に示す構成と同一であるため、その説明は省略する。碍子１００どうしを連結する場合、隣合う一方の碍子１００の連結軸１０３の端部を、他方の碍子１００のキャップ１０４の二つの接続間に挿入し、二つの接続片１０４ａ，１０４ａと連結軸１０３とをコッターピン１０５により連結し、該コッターピン１０５の端部に、接続片１０４ａ，１０４ａからの抜けを防止するための割りピン（図示せず）を貫通させる。このようにして碍子１００どうしが連結されて、碍子連１０７が構成される。
【００１７】
図１〜図３に示すように、碍子取替装置１は、二つの碍子固定具１１，１１と、第一連結手段２０と、第二連結手段３０とを備える。各碍子固定具１１は、半割れ状の二つの挟持体１１ａ，１１ｂを備える。二つの挟持体１１ａ，１１ｂは、開閉可能に構成され、且つ碍子１００のキャップ１０４に対しキャップ１０４の側方から挟持するよう構成される。二つの挟持体１１ａ，１１ｂのうちの一方を固定側挟持体１１ａとし、他方を可動側挟持体１１ｂとする。
【００１８】
固定側挟持体１１ａの一側部には、固定側挟持体１１ａの径方向外方に向かって突片１２が延出され、該突片１２の中央部には、軸受部１２ａが一つ突設されている。可動側挟持体１１ｂの一側部には、軸受部１２ｂ，１２ｂが二つ突設される。可動側挟持体１１ｂの二つの軸受部１２ｂ，１２ｂが、固定側挟持体１１ａの一つの軸受部１２ａの両側に一列に並ぶよう、互いの一側部どうしを接合させている。接合することにより一列に並んだ軸受部１２ｂ，１２ａ，１２ｂには、支軸１３が貫設され、固定側挟持体１１ａの一側部と可動側挟持体１１ｂの一側部とが支軸１３により連結される。よって、可動側挟持体１１ｂは、固定側挟持体１１ａに対し支軸１３を介して開閉可能に構成される。
【００１９】
固定側挟持体１１ａは、挟持部１４ａと、係止部１５ａとを備える。挟持部１４ａは、碍子１００のキャップ１０４の一方の半周面に周方向に沿って当接する円弧面１４０ａを有する。係止部１５ａは、固定側挟持体１１ａの他側部に径方向外方に向かって延出された突片１５０ａと、該突片１５０ａに並設された二つの嵌合凸部１５１ａ，１５１ａと、該二つの嵌合凸部１５１ａ，１５１ａに対し両側部を回動自在に貫設された回動軸１５２ａと、回動軸１５２ａの中央に該回動軸１５２ａの軸線に対し直交方向に固着され、回動軸１５２ａを中心に回動する雄ねじ１５３ａと、該雄ねじ１５３ａに螺合した蝶ナット１５４ａとを備える。
【００２０】
可動側挟持体１１ｂは、挟持部１４ｂと、被係止部１５ｂとを備える。挟持部１４ｂは、碍子１００のキャップ１０４の他方の半周面に周方向に沿って当接する円弧面１４０ｂを有する。被係止部１５ｂは、可動側挟持体１１ｂの他側部に径方向外方に向かって延出された突片１５０ｂと、該突片１５０ｂに形成された嵌合凹部１５１ｂと、切欠き部１５２ｂとを備える。嵌合凹部１５１ｂは、二つの嵌合凸部１５１ａ，１５１ａに当接する。切欠き部１５２ｂは、突片１５０ｂの端縁部から途中位置にかけて形成されている。切欠き部１５２ｂには、雄ねじ１５３ａが係止し、雄ねじ１５３ａに螺合した蝶ナット１５４ａを締付けることで、可動側挟持体１１ｂの突片１５０ｂと固定側挟持体１１ａの突片１５０ａとが連結固定される。
【００２１】
図１〜図３に示すように、第一連結手段２０は、他方の碍子固定具１１の一方の側方端部に係止可能な索条体２１と、一方の碍子固定具１１の一方の側方端部に取付けられ索条体２１を巻取る巻取器２２とを備える。索条体２１は、所定の長さ（碍子１００の個数が増減したとしても対応できる長さ）を有するチェーンであり、本実施形態では、他方の碍子固定具１１の一方の側方端部に係止されている。巻取器２２は、既製のレバーホイストと略同一の構成であり、固定側挟持体１１ａの突片１２に固着された枠体２２０と、該枠体２２０の平行に配置された二つの側壁２２０ａ，２２０ａに回動支持された軸２２１と、軸２２１に固着され、索条体２１を巻付けられたドラム２２２と、軸２２１に固着されたラチェット歯車２２３と、軸２２１に固着された操作ハンドル２２４と、軸２２１に回転自在に設けられた操作レバー２２５とを備える。
【００２２】
操作レバー２２５は、係止爪２２６と、切替レバー２２７とを備える。係止爪２２６は、ラチェット歯車２２３の歯に対し係止するよう常時付勢されている。切替レバー２２７は、ラチェット歯車２２３に対する係止爪２２６の係止位置を、索条体２１を巻上げる方向に回転するラチェット歯車２２３への巻上げ係止位置と、索条体２１を引出す方向に回転するラチェット歯車２２３への引出し係止位置とに切替える。操作レバー２２５は、ラチェット歯車２２３に対する係止爪２２６の係止位置に応じて軸２２１を回動操作でき、係止爪２２６の係止位置に応じた軸２２１の回動によりドラム２２２を回動させ、索条体２１の巻取り、引出しを行えるよう構成されている。操作ハンドル２２４は、操作レバー２２５と同様に、係止爪２２６の係止位置に応じて軸２２１を回動操作でき、係止爪２２６の係止位置に応じた軸２２１の回動によりドラム２２２を回動させ、索条体２１の巻取り、引出しを行えるよう構成されている。
【００２３】
第二連結手段３０は、前記二つの碍子固定具１１，１１の他方の側方端部間に渡された杆状体３１と、前記二つの碍子固定具１１，１１の他方の側方端部にそれぞれ配置された支持部３２とを備える。杆状体３１は、鋼材で作製された角棒である。本実施形態では、角棒の長さは、取替対象となる碍子連１０７の長さよりも長く設定されている。支持部３２は、前記二つの碍子固定具１１，１１の他方端部にそれぞれ固着された角環状体であり、支持部３２は、杆状体３１の両端部側を挿通可能に構成されている。この挿通により、前記二つの碍子固定具１１，１１は、杆状体３１に沿って所望の位置（取替対象となる碍子１００を挟む二つの碍子１００，１００に取付可能な位置）に移動可能になる。杆状体３１は、取替対象となる碍子１００を挟む二つの碍子１００，１００に前記二つの碍子固定具１１，１１を移動させて取付ける際のガイドとなっている。支持部３２には、杆状体３１に対し直交方向に螺合しつつ貫通するストッパ（ねじ）３３が設けられている。ストッパ３３は、杆状体３１に対し接離可能で、杆状体３１の端部側に圧接することで、支持部３２に対し杆状体３１を固定する。
【００２４】
つぎに上記構成を備えた碍子取替装置１の使用方法について説明する。本実施形態では、碍子１００が取付けられる被取付体を、鉄塔のアームとし、鉄塔のアームに取付けられている碍子装置Ａを、耐張碍子装置とする。この耐張碍子装置Ａの碍子連１０７には、送電線からの張力がかかり、各碍子１００の貫通孔１０６の内周面にコッターピン１０５の外周面が圧接した状態になっている。取替対象となる碍子１００の個数は、二つとする。
【００２５】
この状態において、作業者は、碍子連１０７のうち、取替対象となる碍子１００を間に挟む二つの碍子１００，１００側、具体的には、二つの碍子１００，１００のキャップ１０４，１０４に碍子固定具１１，１１を取付けるが、この際、作業者は、索条体２１を前記二つの碍子１００，１００間の距離よりも長めに引出し余長を確保するとともに、杆状体３１に対するストッパ３３の圧接を緩めて、二つのうちの一方の碍子固定具１１を杆状体３１に沿って移動させ、杆状体３１における二つの碍子固定具１１，１１間の距離を、前記二つの碍子１００，１００の間の距離と略同一になるよう予め設定しておく。
【００２６】
つぎに、作業者は、前記二つの碍子１００，１００のそれぞれに碍子固定具１１を取付ける。はじめに、作業者は、一方の碍子固定具１１の二つの挟持体１１ａ，１１ｂを開いた状態にしておいて、前記二つの碍子１００，１００のうちの一方の碍子１００のキャップ１０４の一方の片面に固定側挟持体１１ａの挟持部（円弧面）をあてがいつつ、可動側挟持体１１ｂを閉方向に回動し、可動側挟持体１１ｂの挟持部１４ｂをキャップ１０４の他方の片面にあてがい、固定側挟持体１１ａの二つの嵌合凸部１５１ａ，１５１ａの間に可動側挟持体１１ｂの嵌合凹部１５１ｂを嵌合させ、嵌合凹部１５１ｂの切欠き部１５２ｂに雄ねじ１５３ａを挿入し係止させ、雄ねじ１５３ａに螺合した蝶ナット１５４ａを締め付けて二つの挟持体１１ａ，１１ｂを連結固定する。
【００２７】
つぎに、作業者は、前記と同様に、他方の碍子１００のキャップ１０４に他方の碍子固定具１１を取付けた後、各支持部３２に挿通された杆状体３１に対しその側方からストッパ３３を圧接させ、各支持部３２に杆状体３１を固定する。この際、索条体２１は、二つの碍子固定具１１，１１間において少し垂れ下がった状態になっている。
【００２８】
つぎに、作業者は、図１〜図３に示すように、巻取器２２の操作ハンドル２２４を操作して、垂れ下がっている索条体２１の余長を巻取った後、操作レバー２２５を操作して索条体２１を巻取る。この際、図４に示すように、二つの碍子固定具１１，１１の他方の側方端部が相対的に引寄せられ、二つの碍子固定具１１，１１間の碍子１００に対する送電線からの張力が解除されて、各貫通孔１０６に対するコッターピン１０５の係止が解除され、各貫通孔１０６からコッターピン１０５を引抜くことができ、取替えの対象となる碍子１００を新しい碍子に取替えることができる。
【００２９】
このように、本実施形態では、取替対象となる碍子１００の個数が増減しても、一本の杆状体３１を兼用できるので、碍子１００の個数に制限されることなく取付けることができ、しかも、連結された複数の碍子１００のうち取替えを必要とする碍子１００のみを取替えることができる。
【００３０】
上記実施形態では、碍子取替装置１は、取替対象となる碍子１００の個数を二つとした。しかしながら、碍子取替装置１は、二つの碍子固定具１１，１１間の距離を索条体２１によって調整できるため、換言すれば、索条体２１は、取替対象となる碍子１００の個数の増減に対応できる長さを有しているため、取替対象となる碍子１００の個数が一つであってもよく、二つよりも多くあってもよいことが考えられる。
【００３１】
上記実施形態では、碍子取替装置１は、支持部３２を二つの碍子固定具１１，１１の他方の側方端部にそれぞれ配置した。しかしながら、碍子取替装置１は、二つの碍子固定具１１，１１の他方の側方端部のうち、いずれか一つの他方の側方端部のみ（片側）に支持部３２を配置することが考えられる。
【００３２】
上記実施形態では、碍子取替装置１は、他方の碍子固定具１１の一方の側方端部に索条体２１の端部を係止させた。しかしながら、碍子取替装置１は、索条体２１の端部にフックを取付け、フックにより、他方の碍子固定具１１の一方の側方端部に着脱可能にすることも考えられる。
【００３３】
上記実施形態では、碍子取替装置１は、碍子固定具１１に巻取器２２を固定するとした。しかしながら、碍子取替装置１は、ボルト・ナットを使用し着脱可能な構成とすることも考えられる。
【００３４】
上記実施形態では、碍子取替装置１は、碍子固定具１１を碍子１００のキャップ１０４に取付けるようにした。しかしながら、上記実施形態では、碍子取替装置１は、碍子固定具１１を笠部１０１ａに取付けられることが考えられる。
【００３５】
上記実施形態では、碍子取替装置１は、鉄塔のアームに取付けられる碍子１００として、耐張碍子装置Ａの碍子連１０７を例示した。しかしながら、碍子１００としては、懸垂碍子装置の碍子連や、電柱の腕金に取付けられる碍子連が考えられる。
【符号の説明】
【００３６】
１…碍子取替装置、１１…碍子固定具、１１ａ…固定側挟持体、１１ｂ…可動側挟持体、１２…突片、１２ａ，１２ｂ…軸受部、１３…支軸、１４ａ，１４ｂ…挟持部、１４０ａ，１４０ｂ…円弧面、１５ａ…係止部、１５ｂ…被係止部、１５０ａ，１５０ｂ…突片、１５１ａ…嵌合凸部、１５１ｂ…嵌合凹部、１５２ａ…回動軸、１５２ｂ…切欠き部、１５３ａ…雄ねじ、１５４ａ…蝶ナット、２０…第一連結手段、２１…索条体、２２…巻取器、２２０…枠体、２２０ａ…側壁、２２１…軸、２２２…ドラム、２２３…ラチェット歯車、２２４…操作ハンドル、２２５…操作レバー、３０…第二連結手段、３１…杆状体、３２…支持部、３３…ストッパ、１００…碍子、１０１…本体部、１０１ａ…笠部、１０１ｂ…接続部、１０２…連結手段、１０３…連結軸、１０４…キャップ、１０４ａ…接続片、１０５…コッターピン、１０６…貫通孔、１０７…碍子連、Ａ…碍子装置
【図１】
2019092240.tif 000003
【図２】
2019092240.tif 000004
【図３】
2019092240.tif 000005
【図４】
2019092240.tif 000006
【図５】
2019092240.tif 000007
【図６】
2019092240.tif 000008